(57)【特許請求の範囲】
【請求項１】
撮影レンズを透過した光束をファインダ側に反射させる干渉位置と、上記光束との干渉を避ける非干渉位置との間を往復運動可能で、かつ上記干渉位置と非干渉位置の一方に向けて付勢されたリターンミラーと、
上記干渉位置と非干渉位置の他方まで回転したリターンミラーと接触することにより、リターンミラーが上記他方の位置を超えて回転するのを規制するストッパと、
駆動手段の駆動力によって一方向に回転する一方向回転部材と、
該一方向回転部材の回転によって上記リターンミラーを往復運動させる往復駆動部材と、
上記往復駆動部材又は上記リターンミラーに形成した第１バウンド規制部と、
上記一方向回転部材に形成した、上記リターンミラーが上記他方の位置に移動して上記ストッパと接触したときに、リターンミラーの該ストッパに対するバウンドを上記第１バウンド規制部に接触することにより所定範囲内で規制する第２バウンド規制部と、
を備えることを特徴とする一眼レフカメラのリターンミラー機構。
【請求項２】
請求項１記載の一眼レフカメラのリターンミラー機構において、
上記一方向回転部材が、カム面を具備し、かつ上記駆動手段の駆動力によって一方向に回転すると共に該駆動手段が停止するときは初期位置に位置する回転カム部材であり、
上記往復駆動部材が、付勢手段の付勢力によって該回転カム部材の上記カム面と接触するカムフォロア面を具備し、上記回転カム部材の回転に伴って該カムフォロア面の上記カム面に対する接触位置が変化することにより、上記リターンミラーが上記一方の位置まで回転するのを許容する回転許容位置と、上記リターンミラーを上記他方の位置まで押圧する最大押圧位置とに交互に移動するミラー位置制御レバーである一眼レフカメラのリターンミラー機構。
【請求項３】
請求項１または２記載の一眼レフカメラのリターンミラー機構において、
上記第２バウンド規制部は、上記回転カム部材が上記初期位置以外の位置に位置するときに、上記第１バウンド規制部に接触する一眼レフカメラのリターンミラー機構。
【請求項４】
請求項２または３記載の一眼レフカメラのリターンミラー機構において、
上記撮影レンズを着脱可能なカメラボディ内に、上記リターンミラー、ストッパ、回転カム部材、ミラー位置制御レバー、第１バウンド規制部、及び第２バウンド規制部を設け、
上記回転カム部材が上記初期位置に位置するとき、上記第１バウンド規制部と上記第２バウンド規制部の係合を不能にした一眼レフカメラのリターンミラー機構。
【請求項５】
請求項２、２に従属する３、及び４のいずれか１項記載の一眼レフカメラのリターンミラー機構において、
上記第１バウンド規制部と上記第２バウンド規制部の一方が、ミラー位置制御レバーまたはリターンミラーと上記回転カム部材との一方に形成したバウンド規制突部であり、
上記第１バウンド規制部と上記第２バウンド規制部の他方が、ミラー位置制御レバーまたはリターンミラーと上記回転カム部材との他方に形成した、上記バウンド規制突部が通過可能なバウンド規制溝の側面である一眼レフカメラのリターンミラー機構。
【請求項６】
請求項５項記載の一眼レフカメラのリターンミラー機構において、
上記バウンド規制突部が上記バウンド規制溝の内部に位置するときに、該バウンド規制溝の側面と上記バウンド規制突部との間に隙間が形成される一眼レフカメラのリターンミラー機構。
【請求項７】
請求項５または６記載の一眼レフカメラのリターンミラー機構において、
上記バウンド規制突部における上記回転カム部材の回転方向側の端面を、上記回転カム部材の径方向に対して傾斜する傾斜端面とした一眼レフカメラのリターンミラー機構。
【発明の詳細な説明】
【技術分野】
【０００１】
本発明は一眼レフカメラのリターンミラー機構に関する。
【背景技術】
【０００２】
特許文献１に開示された一眼レフカメラのカメラボディ内には、撮影レンズを透過した光束をファインダ側に反射させる干渉位置（下限位置）と、光束との干渉を避けて該光束が撮像素子上で結像するのを許容する非干渉位置（上限位置）との間を回転可能で、かつ付勢手段によって干渉位置に向けて付勢されたリターンミラーと、モータの駆動力によって一方向に回転するカム盤（ギヤ）と、揺動可能でカム盤に形成したカム面と係合する、シャッターをチャージさせるためのチャージレバーと、チャージレバーと連係しながら揺動し、かつリターンミラーに固定した駆動軸と係合するＱＲレバーと、が設けてある。
モータが停止しているときは、付勢手段の付勢力によってリターンミラーが干渉位置に位置するので、撮影者はファインダを通して被写体を観察できる。一方、連写モードにおいてシャッターボタンを全押しすると、モータが１秒間に複数回回転することによりカム盤が１秒間に複数回回転するので、カム盤のカム面から力を受けるチャージレバーが複数回揺動する。するとＱＲレバーが、リターンミラーが干渉位置に位置するのを許容する位置と、駆動軸を押圧することによりリターンミラーを付勢手段の付勢力に抗して非干渉位置に移動させる位置との間を連続して揺動し、かつこのリターンミラーの動きに連動してシャッターと撮像素子が連続して動作するので、被写体が複数回連続で撮像される。
【先行技術文献】
【特許文献】
【０００３】
【特許文献１】特開２００６−１８４７１７号公報
【発明の概要】
【発明が解決しようとする課題】
【０００４】
上記構造の一眼レフカメラでは、非干渉位置まで移動したリターンミラーと機械的に接触して、リターンミラーが非干渉位置を超えて回転するのを規制するストッパを設けるのが一般的である。
近年、連写モード時の連写速度に対する高速化の要求が高まっているため、カム盤の回転速度は高速化している。そのため、リターンミラーが非干渉位置まで回転したときに、リターンミラーがストッパから大きな反力を受けて干渉位置側に瞬間的に大きくバウンドし、その直後に非干渉位置まで戻るバウンド現象が起こるおそれが高くなっている。バウンド現象が起こると、撮影したい光束がミラーにケラれたり、次の撮影の為のファインダー像が揺れたりするおそれがある。
【０００５】
このような問題を解決するための方策としては、例えば、カム盤のカム面形状を工夫することが考えられる。しかし、カム盤の回転速度が高速化しているため、カム面形状の工夫のみによってバウンドを規制することは事実上困難となっている。
別の方策としては、ストッパにバウンド現象を抑制するためのダンパを設けることが考えられる。しかしダンパを設けると、部品点数が増えて製造コストが大きくなるだけでなく、ダンパの取付スペース分だけカメラボディが大型化してしまう。
【０００６】
本発明は、製造コストの増大やカメラボディの大型化を招くことなく、リターンミラーの回転端位置におけるバウンドを効果的に規制できる一眼レフカメラのリターンミラー機構を提供することを目的とする。
【課題を解決するための手段】
【０００７】
本発明の一眼レフカメラのリターンミラー機構は、撮影レンズを透過した光束をファインダ側に反射させる干渉位置と、上記光束との干渉を避ける非干渉位置との間を往復運動可能で、かつ上記干渉位置と非干渉位置の一方に向けて付勢されたリターンミラーと、上記干渉位置と非干渉位置の他方まで回転したリターンミラーと接触することにより、リターンミラーが上記他方の位置を超えて回転するのを規制するストッパと、駆動手段の駆動力によって一方向に回転する一方向回転部材と、該一方向回転部材の回転によって上記リターンミラーを往復運動させる往復駆動部材と、上記往復駆動部材又は上記リターンミラーに形成した第１バウンド規制部と、上記一方向回転部材に形成した、上記リターンミラーが上記他方の位置に移動して上記ストッパと接触したときに、リターンミラーの該ストッパに対するバウンドを上記第１バウンド規制部に接触することにより所定範囲内で規制する第２バウンド規制部と、を備えることを特徴としている。
【０００８】
上記一方向回転部材が、カム面を具備し、かつ上記駆動手段の駆動力によって一方向に回転すると共に該駆動手段が停止するときは初期位置に位置する回転カム部材であり、上記往復駆動部材が、付勢手段の付勢力によって該回転カム部材の上記カム面と接触するカムフォロア面を具備し、上記回転カム部材の回転に伴って該カムフォロア面の上記カム面に対する接触位置が変化することにより、上記リターンミラーが上記一方の位置まで回転するのを許容する回転許容位置と、上記リターンミラーを上記他方の位置まで押圧する最大押圧位置とに交互に移動するミラー位置制御レバーであってもよい。
【０００９】
上記第２バウンド規制部は、上記回転カム部材が上記初期位置以外の位置に位置するときに、上記第１バウンド規制部に接触してもよい。
【００１０】
上記撮影レンズを着脱可能なカメラボディ内に、上記リターンミラー、ストッパ、回転カム部材、ミラー位置制御レバー、及びバウンド規制手段を設け、上記回転カム部材が上記初期位置に位置するとき、上記第１バウンド規制部と上記第２バウンド規制部の係合を不能にしてもよい。
【００１１】
上記第１バウンド規制部と上記第２バウンド規制部の一方が、ミラー位置制御レバーまたはリターンミラーと上記回転カム部材との一方に形成したバウンド規制突部であり、上記第１バウンド規制部と上記第２バウンド規制部の他方が、ミラー位置制御レバーまたはリターンミラーと上記回転カム部材との他方に形成した、上記バウンド規制突部が通過可能なバウンド規制溝の側面としてもよい。
この場合は、上記バウンド規制突部が上記バウンド規制溝の内部に位置するときに、該バウンド規制溝の側面と上記バウンド規制突部との間に隙間が形成されるようにしてもよい。
【００１２】
上記バウンド規制突部における上記回転カム部材の回転方向側の端面を、上記回転カム部材の径方向に対して傾斜する傾斜端面としてもよい。
【発明の効果】
【００１３】
本発明によると、リターンミラーが干渉位置と非干渉位置のうち付勢手段によって付勢されていない位置まで移動してストッパに接触すると、リターンミラーが当該位置を超えて回転するのが規制される。そして、このときにストッパから受ける反力によりリターンミラーが当該位置から反対側の位置（付勢手段によって付勢された側の位置）側に瞬間的にバウンドすると、リターンミラーまたは往復駆動部材に形成した第１バウンド規制部が一方向回転部材に形成した第２バウンド規制部に接触するので、このバウンド動作が規制される。
しかも、リターンミラーまたは往復駆動部材に第１バウンド規制部を形成し、かつ回転カム部材に第２バウンド規制部を形成しているので、これらの部材とは別部材であるダンパを設ける場合に比べて、製造コストの増大及びカメラボディの大型化を抑制できる。
【００１４】
請求項４のように構成すれば、撮影レンズをカメラボディから取り外したときにカメラボディの内部が外部に露出する。しかし、駆動手段を停止させることにより回転カム部材を初期位置に位置させておけば、第１バウンド規制部と第２バウンド規制部は係合不能な状態になるので、ユーザーがリターンミラーを無理矢理回転させても、第１バウンド規制部と第２バウンド規制部の間に強い力が生じて両部材が破壊されるおそれはない。
【００１５】
請求項５のように構成すれば、回転カム部材の回転軸に対して直交する方向から見たときに、バウンド規制突部とバウンド規制溝どうしの当該回転軸方向の位置が一致する。そのため、リターンミラー機構を上記回転軸方向にコンパクト化できる。
【００１６】
請求項６のように構成すれば、ミラー位置制御レバーまたはリターンミラーと回転カム部材との相対位置（またはバウンド規制突部とバウンド規制溝の相対位置）が設計位置から多少ずれていても、バウンド規制突部がバウンド規制溝を円滑に通過できるので、リターンミラー機構の動作が不円滑になることがない。
【００１７】
ユーザーが手でリターンミラーを保持する等してリターンミラーが干渉位置と非干渉位置の間で停止してしまった後に駆動手段によって回転カム部材を回転させると、バウンド規制突部がバウンド規制溝を形成した部材の端面に衝突してしまい、ミラー位置制御レバーまたはリターンミラーと回転カム部材がロックしてしまうおそれがある。しかし、請求項７のようにバウンド規制突部に傾斜端面を形成すれば、傾斜端面がバウンド規制溝を形成した部材の端面を乗り越えて該部材を通過するので、ミラー位置制御レバーまたはリターンミラーと回転カム部材がロックするのを回避できる。
【図面の簡単な説明】
【００１８】
【図１】本発明の一実施形態のデジタルカメラを模式的に表した縦断側面図である。
【図２】撮影待機状態にあるリターンミラー機構の斜視図である。
【図３】撮影待機状態にあるリターンミラー機構の側面図である。
【図４】回転カムギヤの斜視図である。
【図５】ミラー位置制御レバーの斜視図である。
【図６】リターンミラーが非干渉位置に位置するときのリターンミラー機構を回転カムギヤを一部省略して示す側面図である。
【図７】回転カムギヤが初期位置から回転し、リターンミラーが非干渉位置から干渉位置側に回転したときの図６と同様の側面図である。
【図８】回転カムギヤが初期位置以外の位置に位置し、かつリターンミラーが干渉位置に位置するときの図６と同様の側面図である。
【図９】撮影待機状態のときの図６と同様の側面図である。
【図１０】回転カムギヤのバウンド規制突部がミラー位置制御レバーの端面に衝突したときの図６と同様の側面図である。
【発明を実施するための形態】
【００１９】
以下、添付図面を参照しながら本発明の一実施形態について説明する。なお、以下の説明中の方向は図中の矢印を基準としている。
図１に示すように本発明を適用したデジタルカメラ１０は、撮影レンズＬを内蔵する交換式レンズ鏡筒１１と、その前面開口部に交換式レンズ鏡筒１１を着脱可能なカメラボディ１２とからなるものである。カメラボディ１２内の後部には撮影レンズＬの光軸Ｏ上に位置する撮像素子１３が固定してあり、撮像素子１３の直前には光軸Ｏ上に位置するシャッター１４が設けてある。また、カメラボディ１２内の上部にはプリズム１５が固定してあり、カメラボディ１２の後面にはプリズム１５の直後に位置するファインダ窓１６が設けてある。
さらにカメラボディ１２内には回転可能なリターンミラー２０が設けてある。リターンミラー２０は、後端部側に左右一対の回転支持軸２１を一体的に具備する方形枠状のミラー支持枠２２と、ミラー支持枠２２の内部に固定したミラー２３と、を具備している。ミラー支持枠２２の左側部の後部には左方に向かって延びる被押圧突部２４が一体的に形成してあり、右側部の前端部にはストッパ片２５が一体的に突設してある。左右の回転支持軸２１はカメラボディ１２の左右の内壁に回転可能に支持してあるので、リターンミラー２０は回転支持軸２１を中心に、光軸Ｏに対して４５°をなしかつ撮影レンズＬを透過した光束と干渉する干渉位置（図１の実線、図２、図３、図８及び図９の位置）と、光軸Ｏと略平行をなしかつ該光束の上方に退避する非干渉位置（図１の仮想線及び図６の位置）との間を回転可能である。図２に示すように、カメラボディ１２の右側の内壁には軸線が左右方向に延びる偏心ネジ機構を利用してストッパ２７が固定してあり、リターンミラー２０が干渉位置まで回転するとストッパ片２５の下面がストッパ２７に当接することにより、リターンミラー２０のそれ以上の下方への回転が規制される。また、図示は省略してあるが、リターンミラー２０が非干渉位置まで回転するとミラー支持枠２２の前縁部２６がカメラボディ１２の内部に固定した緩衝部品（図示略）に当接し、リターンミラー２０のそれ以上の上方への回転が規制される。リターンミラー２０が干渉位置に位置するときは、撮影レンズＬを透過した光束はミラー２３によってプリズム１５側に反射されその後ファインダ窓１６に向かう。従って、このとき撮影者はファインダ窓１６を覗くことにより被写体を観察できる。一方、リターンミラー２０が非干渉位置に位置するとリターンミラー２０は撮影レンズＬを透過した光束と干渉しなくなるので、光束はシャッター１４側に向かう。
【００２０】
カメラボディ１２の左側の内壁には、ミラー位置制御レバー（往復駆動部材）３０の前端部から左側に延びる回転支持軸３１が回転可能に支持してある。ミラー位置制御レバー３０は、回転支持軸３１の直上に位置するばね掛け部３２と、回転支持軸３１の後端部から下方に突出する押圧部３３と、右側面から右方に延びるボス３４と、長手方向の中間部から下方に突出するカム突部３５と、を一体的に具備している。カム突部３５の周面（下面）は湾曲面からなるカムフォロア面３６となっており、カム突部３５の左側面には略円弧形状のバウンド規制溝（第１バウンド規制部）３７が凹設してある。カム突部３５におけるバウンド規制溝３７の下方部分には端部突部３８が形成してある。図示するように、ミラー位置制御レバー３０の押圧部３３はリターンミラー２０の被押圧突部２４の直上に位置している。
図２及び図３に示すように、ミラー位置制御レバー３０のボス３４には捻りコイルばねＳ１の巻回部Ｓ１ａが掛け回してあり、捻りコイルばねＳ１の一端である係止端部Ｓ１ｂはミラー位置制御レバー３０の端面に係止してあり、捻りコイルばねＳ１の他端である係止端部Ｓ１ｃは被押圧突部２４の下面に係止してある。
さらに図３に示すように、回転支持軸３１には捻りコイルばねＳ１よりも付勢力が強い捻りコイルばねＳ２の巻回部Ｓ２ａが掛け回してあり、捻りコイルばねＳ２の一端である係止端部Ｓ２ｂはカメラボディ１２の内壁に形成した係止部（図示略）に係止してあり、捻りコイルばねＳ２の他端である係止端部Ｓ２ｃはばね掛け部３２に係止してある。そのため、ミラー位置制御レバー３０は捻りコイルばねＳ２の付勢力によって常に図３の反時計方向に回転付勢されている。
【００２１】
カメラボディ１２の左側の内壁には右方に向かって延びる支持軸１７が突設してあり、支持軸１７には回転カムギヤ（回転カム部材）（一方向回転部材）４０の中心部を貫通する中心軸孔４１が回転可能に支持してある。回転カムギヤ４０の外周面には多数のギヤ歯４２が並べて形成してある。回転カムギヤ４０の右側面には、内部を中心軸孔４１が通る円筒部４３と、カム突部４５とが右向きに突設してある。図示するように円筒部４３とカム突部４５の外周面は互いに連続しており、カム突部４５の外周面は周方向の位置に応じて中心軸孔４１の中心位置からの径方向距離が変化するカム面４６となっている。さらに、回転カムギヤ４０の右側面の別の位置には、その左右方向位置がミラー位置制御レバー３０のバウンド規制溝３７と一致しているバウンド規制突部（第２バウンド規制部）４７が突設してある。図示するように、バウンド規制突部４７の周面の一部は回転カムギヤ４０の径方向に対して傾斜する傾斜端面４８となっている。
回転カムギヤ４０のギヤ歯４２は、カメラボディ１２の左側の内壁に回転可能に支持されたシャッター用回転カムギヤ（図示略）と噛合しており、シャッター用回転カムギヤはギヤ列を介してカメラボディ１２の内部に固定したモータ（駆動手段）Ｍ（図１参照）の回転出力軸に接続している。
モータＭはカメラボディ１２に設けたシャッターボタン（図示略）を全押ししないときは停止している。一方、通常撮影モードでシャッターボタンを１回全押しすると１回転し、連写モードでシャッターボタンを１回全押しすると１秒間に連続で５回転する。モータＭが停止状態のとき回転カムギヤ４０は図２及び図９に示す初期位置に位置する。そして、通常撮影モードでモータＭが回転すると回転カムギヤ４０は初期位置から図３の反時計方向（図３、図６〜８の矢印Ｒ方向）に１回転し、連写モードにおいてモータＭが回転すると回転カムギヤ４０は１秒間に５回転する。
以上説明した部材のうち、リターンミラー２０、ミラー位置制御レバー３０、回転カムギヤ４０、シャッター用回転カムギヤ、ギヤ列、モータＭ、捻りコイルばねＳ１、及び捻りコイルばねＳ２がリターンミラー機構５０の構成要素である。
【００２２】
上述のように回転カムギヤ４０はモータＭの駆動力によって回転し、回転カムギヤ４０がミラー位置制御レバー３０と連係し、かつミラー位置制御レバー３０がリターンミラー２０と連係しているので、以下に説明するようにシャッターボタンを全押しすることによりモータＭが回転するとリターンミラー２０が回転する。
図９はモータＭが停止している撮影待機状態にあるときのリターンミラー機構５０を示している。このとき、回転カムギヤ４０は初期位置に位置し、カム突部３５のカムフォロア面３６は円筒部４３の外周面から上方に離間しており、かつ捻りコイルばねＳ２によって付勢されているミラー位置制御レバー３０の押圧部３３が、捻りコイルばねＳ１によって付勢されているリターンミラー２０の被押圧突部２４を上方から下方に押圧しているので、リターンミラー２０はストッパ片２５がストッパ２７に接触する干渉位置に位置する。
撮影モードが連写モードのときにシャッターボタンを１回全押しすると、モータＭが上記方向に１秒間に５回連続で回転する。そして、ギヤ列及びシャッター用回転カムギヤを介してモータＭの回転力を受けた回転カムギヤ４０が初期位置から図６に示す位置までＲ方向に回転するとカム突部４５のカム面４６がカム突部３５のカムフォロア面３６に接触し、中心軸孔４１から径方向に遠い位置までミラー位置制御レバー３０を押し上げるので、ミラー位置制御レバー３０が捻りコイルばねＳ２の付勢力に抗して図６に示す回転許容位置まで回転する。すると、ミラー位置制御レバー３０の押圧部３３がリターンミラー２０の被押圧突部２４から上方に離れ、ミラー位置制御レバー３０と一緒に回転した捻りコイルばねＳ１の係止端部Ｓ１ｃが被押圧突部２４の下側を上方に持ち上げるので、リターンミラー２０は図６に示す非干渉位置まで回転し、ミラー支持枠２２の前縁部２６が上記緩衝部品に当接する。
そしてモータＭがさらに回転すると、カム面４６における中心軸孔４１からの径方向距離が近い部分（図６でカムフォロア面３６に接触する部分より近い部分）がカム突部３５のカムフォロア面３６に接触するので、図７に示すようにミラー位置制御レバー３０は図６の回転許容位置から下方に移動し、押圧部３３が被押圧突部２４を下方に押圧する。すると、図７に示すように非干渉位置に位置していたリターンミラー２０が干渉位置側に回転し、バウンド規制突部４７がバウンド規制溝３７の前側の開口端部に接近する。
【００２３】
そしてモータＭがさらに回転すると、ストッパ片２５がストッパ２７に当接することによりリターンミラー２０の回転が干渉位置において規制され、かつ、被押圧突部２４によってミラー位置制御レバー３０の回転が図７の位置より下方の最大押圧位置（図８の位置）で規制される。しかし回転カムギヤ４０はさらに回転し続けるので、ストッパ片２５とストッパ２７が接触した後は図８に示すようにカムフォロア面３６とカム面４６の間に隙間が形成される。この隙間はリターンミラー２０の４５°調整（干渉位置においてミラー２０を撮影光の光軸Ｏに対して厳密に４５°の角度にして、光束を厳密に垂直（上方）に反射させる為の「調整」のことであり、具体的には上記偏心ネジ機構を利用してストッパ２７を回転調整することにより行う）を考慮して設けたものである。仮にこの「隙間」が無いと、４５°調整の調整具合によっては、図８の状態になる前に（端部突部３８とバウンド規制突部４７による後述するバウンド規制が行われる前に）、バウンド規制凸部４７がバウンド規制溝３７の周囲の部材に接触してしまう可能性がある。そして、リターンミラー２０が干渉位置に達する直前に回転カムギヤ４０のバウンド規制突部４７がミラー位置制御レバー３０のバウンド規制溝３７内に進入する。このようにリターンミラー２０が干渉位置まで回転すると上述のようにストッパ片２５がストッパ２７に当接するので（図２参照）、ストッパ片２５はストッパ２７から上向きの反力を受け、リターンミラー２０がこの反力によって上方（非干渉位置側）に瞬間的にバウンドする。すると、被押圧突部２４によってミラー位置制御レバー３０（押圧部３３）が瞬間的に上方に押圧されるが、ミラー位置制御レバー３０が極めて短い距離だけ移動した後に端部突部３８の上面（バウンド規制溝３７の下面）がバウンド規制突部４７の下面に当接するので、ミラー位置制御レバー３０のこれ以上の移動は規制され、ミラー位置制御レバー３０は直ちに最大押圧位置に復帰する。従って、リターンミラー２０もバウンドした直後に干渉位置（ストッパ片２５がストッパ２７に接触する位置）に復帰する。
そしてモータＭがさらに回転することにより回転カムギヤ４０が初期位置に復帰すると、リターンミラー機構５０は図２及び図９に示す状態に復帰する。
連写モードにおいてはモータＭが１秒の間に５回連続で回転するので、シャッターボタンを１秒間押し続けたとすると、リターンミラー機構５０はこの動作を５回連続で行い、リターンミラー機構５０は再び撮影待機状態（図２及び図９の状態）となる。
【００２４】
上述したシャッター用回転カムギヤはシャッター１４の動作を制御するためのものであり、図示を省略したチャージばね（捻りコイルばね）と接続しており、チャージばねのチャージ状態（弾性変形状態）はシャッター用回転カムギヤ及び回転カムギヤ４０の回転位置と連動している。即ち、リターンミラー機構５０が撮影待機状態にあるとき（回転カムギヤ４０が上記初期位置に位置するとき）にチャージばねはチャージ状態となり、シャッター１４（先幕と後幕）は撮像素子１３の前方を完全に塞ぐ（遮光する）。回転カムギヤ４０が初期位置から図６の位置まで回転する過程では先幕と後幕のチャージ状態はそれぞれに対応するソレノイドによって維持されているが、シャッターボタンが全押しされると、各ソレノイドによる維持力が所定のタイミングで解除され、チャージばねが蓄えられた弾性力を利用して自由状態に戻ろうとするので、シャッター１４はチャージばねの付勢力によって所定の開口部を形成しながら撮像素子１３の直前を移動し撮像素子１３を露光させる。そして、回転カムギヤ４０が初期位置まで回転復帰することにより、チャージばねは再びチャージ状態となり、シャッター１４が撮像素子１３の直前を再び塞ぐ。
従って、連写モードにおいてシャッターボタン全押しを維持すると、１秒間にこの動作が５回連続で行われ、撮像素子１３が被写体を５回連続で撮像する。
【００２５】
以上説明したように本実施形態によれば、リターンミラー２０が干渉位置まで回転したときのリターンミラー２０のバウンドをミラー位置制御レバー３０のバウンド規制溝３７と回転カムギヤ４０のバウンド規制突部４７によって極めて短い距離内で規制し、リターンミラー２０を素早く停止させているので、次のコマへの測光、測距を短いＷａｉｔ時間で行うことが可能であり、そのため連写速度を向上しやすい。又、リターンミラー２０やミラー位置制御レバー３０がバウンドしたままでは、回転カムギヤ４０やモータＭへの負荷変動が大きくなる（しかも当該負荷変動は撮影毎に変動する）ため、モータＭ制御が困難になったり、メカ部品への負担が大きくなってしまう。つまり、メカ的にもバウンド終了が早いことは連写速度の向上にとって有益である。
しかも、被押圧突部２４、押圧部３３、ストッパ２７、ストッパ片２５などにミラー位置制御レバー３０や回転カムギヤ４０とは別部材であるダンパを設ける場合に比べて、製造コストの増大及びカメラボディの大型化を抑制できる。
さらに、ミラー位置制御レバー３０のバウンド規制溝３７と回転カムギヤ４０のバウンド規制突部４７の左右方向位置が一致しているので、リターンミラー機構５０は特に左右方向にコンパクト化されている。
【００２６】
また、交換式レンズ鏡筒１１をカメラボディ１２から取り外したときはカメラボディ１２の内部が前面開口部を通して外部に露出するため、撮影待機状態にあるリターンミラー機構５０のリターンミラー２０をユーザーが手で触るおそれがある。しかし、リターンミラー機構５０が撮影待機状態にあるときは、図９に示したように回転カムギヤ４０のバウンド規制突部４７がミラー位置制御レバー３０のバウンド規制溝３７から脱出しているので、ユーザーがリターンミラー２０を無理矢理回転させても、バウンド規制突部４７とカム突部３５（カムフォロア面３６、端部突部３８）との間に強い力が生じてミラー位置制御レバー３０と回転カムギヤ４０が破壊されることはない。
さらに、図８に示したように、バウンド規制突部４７がバウンド規制溝３７内に進入したときに、バウンド規制突部４７とバウンド規制溝３７の両側面の間には隙間が形成される。そのため、リターンミラー２０やミラー位置制御レバー３０の相対位置（またはバウンド規制溝３７とバウンド規制突部４７の相対位置）が設計位置から多少ずれていても、バウンド規制突部４７はバウンド規制溝３７の内部を円滑に通過でき、リターンミラー機構５０の動作が不円滑になることがない。
【００２７】
また、バウンド規制突部４７の端面に傾斜端面４８を形成しているが故に以下の作用効果も発揮できる。
即ち、図１０は交換式レンズ鏡筒１１をカメラボディ１２から取り外したときにユーザーが撮影待機状態にあるリターンミラー機構５０のリターンミラー２０を非干渉位置側に無理に回転させた後に、シャッターボタンを全押しすることによりモータＭを回転させたときの様子を示している。このようにリターンミラー２０の位置が所定の位置（干渉位置）からずれた状態でモータＭを回転させると、バウンド規制溝３７の前側開口端部とバウンド規制突部４７の位置がずれ、その結果、バウンド規制突部４７の傾斜端面４８が端部突部３８の前面に衝突することがある。しかし、このような場合であっても、回転カムギヤ４０の径方向に対して傾斜する傾斜端面４８が端部突部３８を上方に押圧しながら端部突部３８の（カムフォロア面３６）の下方を通過する。従って、ミラー位置制御レバー３０と回転カムギヤ４０が図１０の状態でロックされることはなく、リターンミラー機構５０、撮像素子１３及びシャッター１４はこの後に所定の動作を円滑に行う。
【００２８】
以上、上記実施形態に基づいて本発明を説明したが、本発明は様々な変更を施しながら実施可能である。
例えば、バウンド規制溝３７に相当する溝をミラー支持枠２２に形成し、リターンミラー２０が干渉位置まで回転したときに回転カムギヤ４０のバウンド規制突部４７を当該溝に進入させてもよい。また、回転カムギヤ４０にバウンド規制溝３７に相当する溝（請求項１の第２バウンド規制部に相当）を形成し、ミラー位置制御レバー３０またはミラー支持枠２２にバウンド規制突部４７に相当する突部（請求項１の第１バウンド規制部に相当）を形成してもよい。
さらに、付勢手段によってリターンミラー２０を干渉位置側に付勢し、かつモータＭの動力によって回転付勢されたミラー位置制御レバー３０によってリターンミラー２０を上方（非干渉位置側）に押圧するようにし、かつ、回転カムギヤ４０が初期位置に位置するときにリターンミラー２０が非干渉位置に位置するようにした上で、リターンミラー２０が非干渉位置に達したときに第１バウンド規制部と第２バウンド規制部でリターンミラー２０のバウンドを規制してもよい。
さらに、撮像素子１３を省略することによりカメラボディ１２を銀塩カメラ用のカメラボディとすることも可能である。
【符号の説明】
【００２９】
１０    デジタルカメラ
１１    交換式レンズ鏡筒
１２    カメラボディ
１３    撮像素子
１４    シャッター
１５    プリズム
１６    ファインダ窓
１７    支持軸
２０    リターンミラー
２１    回転支持軸
２２    ミラー支持枠
２３    ミラー
２４    被押圧突部
２５    ストッパ片
２７    ストッパ
３０    ミラー位置制御レバー（往復駆動部材）
３１    回転支持軸
３２    ばね掛け部
３３  押圧部
３４  ボス
３５    カム突部
３６    カムフォロア面
３７    バウンド規制溝（第１バウンド規制部）
３８    端部突部
４０    回転カムギヤ（回転カム部材）（一方向回転部材）
４１    中心軸孔
４２    ギヤ歯
４３    円筒部
４５    カム突部
４６    カム面
４７    バウンド規制突部（第２バウンド規制部）
４８    傾斜端面
５０    リターンミラー機構
Ｌ      撮影レンズ
Ｍ      モータ（駆動手段）
Ｏ      光軸
Ｓ１    捻りコイルばね（付勢手段）
Ｓ１ａ  巻回部
Ｓ１ｂ  Ｓ１ｃ  係止端部
Ｓ２    捻りコイルばね（付勢手段）
Ｓ２ａ  巻回部
Ｓ２ｂ  Ｓ２ｃ  係止端部
【図１】
0005655506.tif 000002
【図２】
0005655506.tif 000003
【図３】
0005655506.tif 000004
【図４】
0005655506.tif 000005
【図５】
0005655506.tif 000006
【図６】
0005655506.tif 000007
【図７】
0005655506.tif 000008
【図８】
0005655506.tif 000009
【図９】
0005655506.tif 000010
【図１０】
0005655506.tif 000011